(57)【要約】【目的】天秤からミシン針に通じる上糸を挿通し、ミシン針と共に上下動する二本針ミシンの糸案内において、糸種や縫製条件に応じて適当な抵抗を与えて糸あばれを低減することができる糸案内を提供することを目的とする。【解決手段】線状体を上糸経路または上下方向に対して傾いて架設し、天秤からミシン針に通じる上糸を該線状体が形成する開口の開口方向両側から糸種、縫製条件に応じて選択的に挿通するして前記糸種、縫製条件に適した抵抗を上糸に付与する。【選択図】          図１
2004254917.tif 000002
【特許請求の範囲】
【請求項１】
２本のミシン針それぞれに対応して設けられると共に該ミシン針を固定する針棒と共に上下動し、糸供給源から天秤を経て前記ミシン針へ通じる２本の上糸をそれぞれ挿通し接触して抵抗を与える二本針ミシンの糸案内において、
該糸案内が、略アーチ状をしてその両側に開口する線状体であると共に、該線状体の両端を上糸経路または上下方向に対して傾く２点で固定し架設されることを特徴とする二本針ミシンの糸案内。
【請求項２】
請求項１に記載の二本針ミシンの糸案内において、
前記糸案内の上糸経路または上下方向に対する傾きをそれぞれ調節可能とする糸案内傾き調節手段を設けたことを特徴とする二本針ミシンの糸案内。
【請求項３】
請求項１または２に記載の二本針ミシンの糸案内において、
前記糸案内の上糸経路または上下方向に対する傾きが、左針に通じる上糸を通す糸案内の方が、右針に通じる上糸を通す糸案内よりも小さいことを特徴とする二本針ミシンの糸案内。
【発明の詳細な説明】
【０００１】
【発明の属する技術分野】
本発明は、２本のミシン針へ通じる上糸をそれぞれ挿通し、該ミシン針と共に上下動する二本針ミシンの糸案内に関わるものである。
【０００２】
【従来の技術】
従来より、縫い針を直接または間接的に保持して上下動する針棒には、ミシンの天秤と縫い針との間の縫い糸（上糸）の不要なあばれ（糸あばれ）を防止するよう、ミシンの糸案内が設けられている。
【０００３】
周知のようにミシンは縫い針を昇降運動させ、この縫い針の昇降運動により被縫製物（不図示）の下方に上糸ループを形成し、ミシンベッド内に設けられる釜（不図示）によりこの上糸ループを捕捉して、この上糸からなる上糸ループと釜が保持する縫い糸（下糸）とを交絡させることで所定の縫い目を形成する。
【０００４】
こうしたミシンによる縫い目の形成にあたり、縫い針ないし天秤（不図示）の昇降運動等によって上糸の糸あばれが生じ、被縫製物の下方に形成される上糸ループにも糸あばれの影響が出て釜が適正に上糸ループを捕捉出来ず目飛びなどの問題が生じる。この問題は、特に細番手の糸を使用した際や、高速での縫製時に顕著に生じるものである。
【０００５】
また、縫い針の昇降運動によって被縫製物の下方に繰り出される上糸の量が少なすぎた場合、あるいは多すぎた場合においても問題が生じる。
【０００６】
すなわち、繰り出し量が少なく、形成される上糸ループが小さなものとなると、釜が上糸ループに至らず捕捉不可能となり目飛びが生じる、あるいは不適正な上糸ループの捕捉により釜剣先にて上糸を刺した状態となって上糸を切断してしまう糸切れ等の問題を生じる。
【０００７】
そして繰り出される上糸量が多く、形成される上糸ループが大きなものとなると、上糸ループが傾いたり、あるいは倒れ込んでしまうため、釜が適正に上糸ループを捕捉出来ず目飛びなどの問題が生じる。
【０００８】
前記ミシンの糸案内は上述の問題点を解消するために設けられるもので、従来の糸案内（ガイド穴）は、縫い針とともに昇降移動をなすように縫い針を保持してこれを昇降移動させる針棒に固定された針留め具（ヘッド）に設けられている。その構成は概ね図６に示すようになる。針棒１０下端に固定された針留め具２０は縫い針３ａ、３ｂを保持すると共に、前面に上糸経路と略平行、即ち略鉛直に糸案内２０ａ、２０ｂを形成し、この糸案内２０ａ、２０ｂに上糸Ｔ１、Ｔ２を図６に示すように挿通して使用するものである。これにより、適正な糸の繰り出しを阻害せずに縫製に供される上糸Ｔ１、Ｔ２へ抵抗を与え、針棒１０および天秤（不図示）の昇降運動に起因する糸あばれを低減する効果を得ている。（例えば、特許文献１参照）
【特許文献１】
特開２０００−２０２１８４号公報（第２頁、第１図）
【０００９】
【発明が解決しようとする課題】
しかしながら、上述の針留め具に略鉛直に形成される構成の糸案内においては次のような問題がある。
【００１０】
上述した糸案内では、縫製に使用される縫い糸の材質や太さ、摩擦抵抗等の異なる種々の糸種に関わらず一定の抵抗を与えるため、異なる糸種での縫製を行なおうとする場合、上糸に適切な抵抗がかからず、目飛びや糸切れ等が発生した。このように、種々の上糸の使用や、高速縫製をはじめとする各種縫製条件を考慮していなかった。
【００１１】
またこの手の糸案内は、上糸を上糸供給源（糸巻き）から縫い針に通す度に、径の小さな糸穴に対して糸を通す作業を行う必要があり、煩雑で時間を要する作業を余儀なくされ、作業能率を低下させることとなっていた。
【００１２】
さらに、特に２本針ミシンにおいては、周知の縫製上の問題点である撚り戻りが生じるなどの問題点があった。この撚り戻りとは、通常、縫製には上糸として左撚り（Ｚ撚り）糸が使用されているが、縫製時において縫製物から針穴に連なる上糸が該針の昇降運動あるいは天秤の作用により緊張状態となり、その上糸が前記針穴縁に当接し扱かれることにより、左方の針に通された上糸のＺ撚りが戻る事を指す。これにより、糸の腰が弱まり、釜剣先により撚られていた複数の単糸を分けて捕捉してしまうなどして、糸切れが生じるなどの問題が生じることがあった。
【００１３】
これらの問題点を鑑み、本発明は、複数の糸種あるいは縫製条件に対応して、糸あばれによる目飛びや糸切れ、撚り戻りによる縫製不良や糸切れの発生を軽減する二本針ミシンの糸案内を提供することを目的とする。
【００１４】
【課題を解決するための手段】
上記目的を達成するために、請求項１に記載の二本針ミシンの糸案内は、２本のミシン針それぞれに対応して設けられると共に該ミシン針を下端に固定する針棒と共に上下動し、糸供給源から天秤を経て前記ミシン針へ通じる２本の上糸をそれぞれ挿通し接触して該上糸に抵抗を与える二本針ミシンの糸案内において、該糸案内が、略アーチ状をしてその両側に開口する線状体であると共に、該線状体の両端を上糸経路または上下方向に対して傾く２点で固定し架設されることを特徴としている。
【００１５】
該請求項１に記載の本発明によれば、線状体を上下および左右にそれぞれずれた２点で接続して上糸経路あるいは上下方向に対してやや傾けて線状体を架設し、その線状体の架設方向の左右に開口する糸案内を設けて、該糸案内の両開口方向から選択的に上糸を挿通することができ、糸種によって異なる抵抗を与えることができる。
【００１６】
また、上記目的を達成するために、請求項２に記載の二本針ミシンの糸案内は請求項１に記載の二本針ミシンの糸案内において、前記糸案内の上糸経路または上下方向に対する傾きをそれぞれ調節可能とする糸案内傾き調節手段を設けたことを特徴としている。
【００１７】
該請求項２に記載の本発明によれば、糸案内の傾きを変更可能な構成とすることで、糸案内の開口方向に対する上糸の挿通方向の選択に加えて、上糸に与える抵抗の範囲をより広いものとすることができる。
【００１８】
さらに、上記目的を達成するために、請求項３に記載の二本針ミシンの糸案内は請求項１または２に記載の二本針ミシンの糸案内において、前記糸案内の上糸経路または上下方向に対する傾きが、左針に通じる上糸を通す糸案内の方が、右針に通じる上糸を通す糸案内よりも小さいことを特徴としている。
【００１９】
該請求項３に記載の本発明によれば、左針に通じる上糸にかかる抵抗を右針に通じる上糸にかかる抵抗よりも比較的低くすることができ、撚り戻りの生じやすい左針に通じる上糸に必要以上の抵抗を与えないようにできる。
【００２０】
【発明の実施の形態】
以下、図面に基づいて本発明の実施の形態を説明する。
【００２１】
まず、図１、２は本発明の一実施例を示す説明図であり、該図１、２は本発明の糸案内を設けた二本針ミシンの針棒および縫い針周辺を拡大した説明図である。
【００２２】
まず、図１において、１０は不図示のミシン機枠に支持されると共に駆動源（不図示）の駆動により昇降運動を行なう針棒である。また、２は前記針棒１０に固定されると共に縫い針３ａ、３ｂを保持する針留め具であって、前記針棒１０の昇降運動にしたがって上糸Ｔａ、Ｔｂを通した前記縫い針３ａ、３ｂを上下動する。ここで、該縫い針３ａ、３ｂは下方に設けられる一対のミシン釜（不図示）との協働により縫目を形成する。
【００２３】
また、１ａ、１ｂはそれぞれ線状体からなり前記針留め具２の表面に上糸Ｔａ、Ｔｂにそれぞれ対応して設けられる糸案内である。該一対の糸案内１ａ、１ｂはそれぞれ上下方向に対して右方に傾いて針留め具２表面の上下２点で線状体を固定し架設され、ここでは図１（ａ）に示されるように略コ字状をして線状体１ａ、１ｂは両側に開口（糸案内開口部１ａＡ）している。さらに、該糸案内１ａ、１ｂの上下方向に対する傾きは、左方の糸案内１ａの方の傾きの方が小さい。ここで、上糸Ｔａ、Ｔｂとして、例えば化繊フィラメント糸など細番手の糸を用い、不図示の上糸供給源（糸巻き）から天秤（不図示）、糸案内１ａ、１ｂを介して縫い針３ａ、３ｂに通されている。
【００２４】
このような細番手の糸の場合、縫製時、特に高速縫製時において、糸あばれが生じやすく適度な抵抗を与える必要があるため、図１に示すように傾いて設けられた糸案内１ａ、１ｂの外側から、すなわち図１（ａ）の紙面奥方側から糸案内開口部１ａＡを通して手前側に、図１（ｂ）においては紙面向かって右方より左方に挿通され、縫い針３ａ、３ｂの針穴へそれぞれ通じている。このように外方から上糸Ｔａ、Ｔｂを通すことにより、通される上糸の屈曲回数、屈曲角度、糸案内（線状体）との接触長さ（面積）を増大することができ比較的大きい抵抗を上糸Ｔａ、Ｔｂに与えることができ、糸あばれを低減することができる。
【００２５】
ここで、針棒１０は、炭素繊維強化プラスチック（ＣＦＲＰ）からなる心材１０ｉと、筒状の鋼材からなる被覆部材１０ｏとで形成されており、図１（ａ）の針棒１０の一部を切断した断面図部分によりその構成を説明する。針棒１０の心材１０ｉにじょうきＣＦＲＰを用いることにより、針棒を軽量で剛性の高いものとすることができる。さらに、該ＣＦＲＰを露出して摺動部に用いると磨耗粉などが発生してしまうため、摺動面には焼き入れ処理をした鋼材や硬質陽極酸化処理をしたアルミ（軽金属材料）を被覆部材１０ｏとして用いている。尚、心材１０ｉと被覆部材１０ｏとは、管状の被覆部材１０ｏに心材１０ｉを隙間なく嵌合している。上記構成により、針棒１０は摺動軸として軽量高剛性で摺動特性に優れたものとなり、振動や、騒音、軸受けへの過剰な負荷の発生による焼き付きを軽減することができ、高速駆動にも耐え得るものとなっている。
【００２６】
また、左方の糸案内１ａの傾きを比較的小さくすることにより、左針３ａに通じる上糸Ｔａの撚り戻りを引き起こさない適度な抵抗を与えることができる。
一方、図２について、まず、用いられる上糸ｔａ、ｔｂは、例えば、比較的太いスパン糸とする。尚、図２に示す構成は図１に示すものと同一であるため、各構成の詳細な説明は省略する。
【００２７】
ここで、スパン糸をはじめとする太糸など糸あばれが起こり難い糸は、糸に余分な抵抗を与える必要がない。したがって、図２（ａ）に示すように紙面手前側から糸案内開口部１ａＡを通して奥方に、図２（ｂ）においては糸案内１ａ、１ｂの左方から右方に上糸ｔａ、ｔｂを挿通すると共に縫い針３ａ、３ｂの針穴へそれぞれ通す。このような経路で上糸を通すことにより、糸案内（線状体）との接触および、糸案内による糸の屈曲を小さくすることができ、上糸ｔａ、ｔｂに余計な抵抗を与えない。
【００２８】
上記説明では糸案内の傾きを、針留め具２表面上での上下方向（鉛直方向）に対する傾きで表わしたが、糸案内１ａ、１ｂに挿通される上糸が接触ないし屈曲すればよく、上糸経路に対する傾きで表わしても良い。例えば、天秤から縫い針の針穴への上糸経路や、天秤より下流でミシン機枠に設けられた糸案内から縫い針の針穴への上糸経路、などに対する傾きで表わしても良い。
【００２９】
さらに、本発明の糸案内の傾斜方向は特に決められたものではなく、図３に示すように一方の糸案内１１ａを左方に傾け両糸案内１１ａ、１１ｂが略逆ハ字状に配置される構成としても良い。他にも、両糸案内をハ字状に配置しても良いし、あるいは両者とも左方に傾いた構成としても良い。さらには、糸案内の配設は針留め具前面のみに限られるものではない。針棒の上下運動と共に上下動すればよく、例えば、針留め具側面に糸案内を設けるなどしても良い。
【００３０】
次いで、本発明の第２の実施例として、図４に示すような態様も考え得る。本実施例は、針留め具２２において糸案内２１ａ、２１ｂが該針留め具２２に対して回転可能に下端を接続されると共に、該針留め具２２の前面に糸案内２１ａ、２１ｂそれぞれの長さを半径とする円弧状の長溝２２ａ、２２ｂがそれぞれ形成されて糸案内２１ａ、２１ｂ上端が該長溝２２ａ、２２ｂに遊挿される。これにより、糸案内２１ａ、２１ｂは下端を中心に前記長溝２２ａ、２２ｂに沿って図中両矢印Ｌ、Ｒ方向に回動可能である。また、該糸案内２１ａ、２１ｂの姿勢は、針留め具２２に設けられた止めネジ２２ｃ、２２ｄをそれぞれ締めることにより、その先端が針留め具２２内方で該糸案内２１ａ、２１ｂの下端にそれぞれ係合して固定される。これらの構成により糸案内傾き調節手段２０Ａ、２０Ｂが形成され、糸種や縫製条件によって糸案内２１ａ、２１ｂの傾きを調整するようにすれば、上糸に与える抵抗の範囲が非常に広くなり、多くの糸種、縫製条件に対応が可能となる。この場合、糸の挿通方向を第１の実施例のように左右から選択的に通すようにしても良いし、糸種に合わせて傾きを変更し、上糸に与える抵抗を加減しても良い。
【００３１】
ここで、糸案内傾き調節手段による糸案内の姿勢の固定は、糸案内の傾きを変更しその姿勢で固定できる構成であれば良く、長溝を用いたものや、止めネジを係合させるものでなくても良い。また、糸案内の回動中心は糸案内下端に限らず上端を中心に回転させて傾きを調整できるようにしても良い。
【００３２】
次に本発明の第３の実施例として、図５に示す態様を説明する。本実施例は縫製時に選択的に左右一方の針棒の駆動を停止可能な片針停止機能を備えた二本針ミシンに係り、例えば、図５は右方の針棒の駆動を停止している様子を表す。このような二本針ミシンにおいては、縫い針３ａ、３ｂそれぞれに対して針棒１０ａ、１０ｂおよび針留め具３２ａ、３２ｂが設けられており、該針留め具３２ａ、３２ｂにそれぞれ線状体からなる糸案内３１ａ、３１ｂを設けている。この構成によれば、一方の針棒の駆動が停止されても、他方の駆動されている針棒に固定された針に通された上糸の糸あばれを抑えることができ、それぞれの針に対応する上糸の糸あばれを各個に抑制することができる。
【００３３】
以上のように、選択的に、軽い糸や細い糸などの糸あばれを起こしやすい糸の使用時や、高速縫製時には、適度な抵抗が加わるように糸案内に上糸を通し、太い糸などの糸あばれを起こし難い糸の使用時や低速で糸あばれが想定し難い縫製時には、余計な抵抗をかけないように糸案内へ上糸を通すことで縫製不良が低減され好適な縫目が形成される。また、撚り戻りを発生しやすい方の糸案内（通常は左針に対応する方の糸案内）は他方よりも抵抗が加わり難い構成とすることでより好ましい縫目が形成される。
【００３４】
以上、本発明の実施例を説明したが、本発明は、上記実施例に限定されるものではなく、その技術的範囲を逸脱しない限りにおいて形状や構成を変更可能であり、種々の態様が考えられる。
【００３５】
例えば、左撚り（Ｚ撚り）の糸に換えて右撚り（Ｓ撚り）の糸を縫製に用いる場合には、右方の上糸で撚り戻りが発生しやすくなるが、その場合には左方の糸案内に比べて右方の糸案内の傾きを小さくすればよい。
また、上記実施例では糸案内の形状は側面視で、略コ字状のみでの説明に終始したが、コ字状に限定されるものではなく、例えば∠状や半円状など、両端を固定され開口方向に上糸を挿通可能なアーチ状であればよく、その形状は問わない。また、糸案内への左右への開口の大きさについては細かく言及しなかったが、線状体の加工が容易で、且つ糸を通しやすい大きさに開口していることが好ましい。また、そのような適度な大きさに形成することにより上糸を通した際の上糸との接触長さ（面積）が確保される。
【００３６】
さらに、上記実施例では糸案内を針留め具に設ける態様による説明に終始したが、必ずしも針留め具に設ける必要は無く、ミシン針と共に上下動すればよく、例えば別途に針棒に直接または間接的に固定するようにしてもよい。
【００３７】
ところで、糸案内を形成する線状体には、好ましくは表面が滑らかで断面形状が円形やだ円形など曲線からなる、上糸に過剰な抵抗をかけないものを用いる。
【００３８】
【発明の効果】
以上のように、本発明によれば、二本針ミシンにおいて、針棒と共に上下動するように線状体からなる糸案内を上糸経路あるいは上下方向に対して傾けて架設することにより、該糸案内は糸の挿通を該糸案内の開口の両側を選択的に用いることにより異なる抵抗を上糸に付与することができる。したがって、糸あばれの怖れがある糸（細番手の糸など）や高速での縫製時には、糸の屈曲が大きくなるように糸案内の傾斜した側から糸を挿通することにより該糸案内外方から巻きつくように糸が通され、糸と糸案内との接触および糸の屈曲が大きくなり適度な抵抗を糸に与えることができ糸あばれを低減する事ができる。すなわち、目飛びや糸切れなどの問題を低減する事ができ、好ましい縫目を形成することができる。また、糸あばれの少ない糸や低速で糸あばれが想定され難い縫製の際には糸に余計な抵抗をかける必要が無く、糸案内の傾斜方向と逆側すなわち糸案内の開口が上糸経路側に開いた側から糸を挿通することにより、糸と糸案内との接触は小さなものとなり余計な抵抗を糸に与えない。
【００３９】
また、糸案内の形成方向（架設方向）の上糸経路あるいは上下方向に対する傾きを調整可能とすることにより、その傾きを用いる糸種の糸あばれを抑えるのに必要な抵抗を与える傾きにすることができ、糸種に対する汎用性を非常に広いものとすることができる。
【００４０】
また、左方の糸案内の形成方向（架設方向）の上糸経路あるいは上下方向に対する傾きを、右方の糸案内のものに比べて小さなものとすることにより、左針に通される上糸の緊張状態を比較的低いものとし、左針に通される上糸に起こりやすい撚り戻りの発生を低減することができ、良好な縫目を形成することができる。
【図面の簡単な説明】
【図１】本発明の第１の実施例を示す説明図で、（ａ）は左側面視、（ｂ）は正面視を表す。
【図２】図１の実施態様の別の使用態様を示す説明図で、（ａ）は左側面視、（ｂ）は正面視を表す。
【図３】別の実施態様を示す説明図である。
【図４】本発明の第２の実施例を示す説明図である。
【図５】本発明の第３の実施例を示す説明図である。
【図６】従来の態様を示す説明図で、（ａ）は左側面視、（ｂ）は正面視を表す。
【符号の説明】
１ａ，１１ａ，２１ａ，３１ａ      糸案内（左側のミシン針に対応）
１ａ，１１ａ，２１ａ，３１ａ      糸案内（右側のミシン針に対応）
１ａＡ    開口（糸案内開口）      ２，１２，２２，３２ａ，３２ｂ    針留め具
２１Ａ，２１Ｂ    糸案内傾き調節手段  ２２ａ，２２ｂ          長溝
２２ｃ，２２ｄ    止めネジ
３ａ，３ｂ        縫い針（ミシン針）  １０，１０ａ，１０ｂ    針棒
１０ｉ            心材（針棒心材）    １０ｏ    被覆部材（針棒被覆部材）
２０ａ，２０ｂ    糸案内（従来）
Ｔａ，Ｔｂ，ｔａ，ｔｂ，Ｔ１，Ｔ２        上糸
【図１】
2004254917.tif 000003
【図２】
2004254917.tif 000004
【図３】
2004254917.tif 000005
【図４】
2004254917.tif 000006
【図５】
2004254917.tif 000007
【図６】
2004254917.tif 000008